(57)【要約】【課題】  停電時でも地上デジタル放送を小容量のバッテリーで継続可能とする。【解決手段】  受信装置２が送信装置４に光連絡線設備５を介して接続された再送信システムにおいて、受信装置２は、受信アンテナ６で１波の地上デジタルテレビジョン放送信号を受信し、受信側単チャンネル放送用信号処理ユニット１２−１で増幅する。受信側電源部１８が商用電源の非供給時に受信側単チャンネル放送用信号処理ユニット１２−１に動作電力を供給する。商用電源の非供給時に受信側単チャンネル放送用信号処理ユニット１２−１の出力信号を送信装置４に光連絡線設備５を介して供給する。送信装置４は、商用電源の非供給時に光連絡線設備５を介して伝送される前記１波の地上デジタルテレビジョン放送信号を送信側単チャンネル処理ユニット４０で処理して送信アンテナ５８に供給する。商用電源の非供給時に送信側電源部６０が送信側単チャンネル処理ユニット４０に動作電力を供給する。【選択図】        図１
2010263334.tif 000002
【特許請求の範囲】
【請求項１】
受信装置と、連絡線設備と、この連絡線設備を介して前記受信装置が接続された送信装置とからなる再送信システムにおいて、
前記受信装置は、
複数チャンネルの地上デジタルテレビジョン放送信号を前記連絡線設備を介して前記送信装置に伝送可能に処理して、前記送信装置に供給する受信側複数チャンネル処理手段と、
特定の単チャンネルの地上デジタルテレビジョン放送信号を前記連絡線設備を介して前記送信装置に伝送可能に処理して、前記送信装置に供給する受信側単チャンネル処理手段と、
商用電源の供給時には、前記受信側複数チャンネル処理手段と前記受信側単チャンネル処理手段とに商用電源に基づいて動作電力を供給し、前記商用電源の非供給時には前記受信側単チャンネル処理手段にバッテリーに基づいて動作電力を供給する受信側電源部とを、
具備し、前記送信装置は、
前記受信装置から前記連絡線設備を介して伝送された前記受信側複数チャンネル処理手段からの信号をテレビジョン受信機で受信可能に処理して送信アンテナに供給する送信側複数チャンネル処理手段と、
前記受信装置から前記連絡線設備を介して伝送された前記受信側単チャンネル処理手段からの信号を前記テレビジョン受信機で受信可能に処理して前記送信アンテナに供給する送信側単チャンネル処理手段と、
前記商用電源の供給時に前記送信側複数チャンネル処理手段と前記単チャンネル処理手段とに商用電源に基づいて動作電力を供給し、前記商用電源の非供給時に前記送信側単チャンネル処理手段にバッテリーに基づいて動作電力を供給する送信側電源部とを、
具備する
再送信システム。
【請求項２】
請求項１記載の再送信システムにおいて、前記受信装置は、前記各地上デジタルテレビジョン放送信号を受信する受信アンテナと、この受信アンテナの受信信号を２分配する分配手段と、前記商用電源の供給時に前記分配手段の一方の分配出力を増幅する増幅状態となり、前記商用電源の非供給時には信号遮断状態となる前置増幅手段と、前記分配手段の他方の分配出力と前記前置増幅手段の出力とが入力され、出力が前記受信側複数チャンネル処理手段及び前記受信側単チャンネル処理手段に供給される合成手段とを、有する再送信システム。
【請求項３】
複数チャンネルの地上デジタルテレビジョン放送信号を、これを再送信する送信装置に連絡線設備を介して伝送可能に処理して供給する受信側複数チャンネル処理ユニットと、
前記複数チャンネルの地上デジタルテレビジョン放送信号とは異なる特定の１チャンネルの地上デジタルテレビジョン放送信号を前記送信装置に前記連絡線設備を介して伝送可能に処理して供給する受信側単チャンネル処理ユニットと、
商用電源の供給時には、前記受信側複数チャンネル処理ユニット及び前記受信側単チャンネル処理ユニットに商用電源に基づいて動作電力を供給し、前記商用電源の非供給時には前記受信側単チャンネル処理ユニットにバッテリーに基づいて動作電力を供給する受信側電源部とを、
具備する再送信システム用受信装置。
【請求項４】
伝送された複数チャンネルの地上デジタルテレビジョン放送信号を処理して送信アンテナに供給する送信側複数チャンネル処理ユニットと、
特定の１チャンネルの地上デジタルテレビジョン放送信号を処理して前記送信アンテナに供給する送信側単チャンネル処理ユニットと、
前記商用電源の供給時に前記送信側複数チャンネル処理ユニット及び前記単チャンネル処理ユニットに商用電源に基づいて動作電力を供給し、前記商用電源の非供給時に前記送信側単チャンネル放送用処理ユニットにバッテリーに基づいて動作電力を供給する送信側電源部とを、
具備する
再送信システム用送信装置。
【請求項５】
請求項１記載の再送信システムまたは請求項３記載の再送信システム用受信装置において、前記連絡線設備は、光連絡線設備であり、前記受信側複数チャンネル処理手段及び前記受信側単チャンネル処理手段は、それぞれ異なる波長の光信号を多重して前記光連絡線設備を介して前記送信装置に伝送する再送信システムまたは再送信システム用受信装置。
【発明の詳細な説明】
【技術分野】
【０００１】
本発明は、再送信システム並びにこのシステムで使用する受信装置及び送信装置に関し、特に、停電時への対策を施したものに関する。
【背景技術】
【０００２】
従来、再送信システムには、例えば特許文献１に開示されているようなものがある。特許文献１の技術によれば、受信アンテナで受信したテレビジョン放送信号が受信増幅器で増幅され、伝送路上に供給される。伝送路上には、複数の分岐装置が配置され、これら分岐装置を介して、放送電波を再送信すべき領域ごとに設置された送信増幅器にテレビジョン放送信号が伝送され、送信増幅器で増幅され、送信アンテナから送信される。各分岐装置は、商用電源から直流定電圧を生成する定電圧回路を備え、この直流定電圧を各送信増幅器に電源として供給する。
【先行技術文献】
【特許文献】
【０００３】
【特許文献１】特開２００７−１５８３９２号公報
【発明の概要】
【発明が解決しようとする課題】
【０００４】
特許文献１の技術によれば、商用電源から生成された直流定電圧を各送信増幅器に電源として供給するので、停電が生じた場合、送信増幅器が動作せず、再送信が不可能になる。
【０００５】
このような問題は、例えば各分岐装置に無停電電源装置を設置すれば解決できる。しかし、全てのチャンネルのテレビジョン放送信号を再送信できるように送信増幅器に動作電力を供給する場合、無停電電源装置の容量を大きくしなければ、短時間しか再送信を維持することができず、無停電電源装置の容量を大きくすれば、コストが上昇する。
【０００６】
本発明は、停電が生じても、低コストで再送信を維持することができる再送信システム、この再送信システムにおいて使用する受信装置及び送信装置を提供することを目的とする。
【課題を解決するための手段】
【０００７】
本発明の再送信システムは、受信装置と、連絡線設備と、この連絡線設備を介して受信装置に接続された送信装置とを有している。前記受信装置は、受信側複数チャンネル処理手段を有している。この受信側複数チャンネル処理手段は、複数チャンネルの地上デジタルテレビジョン放送信号を前記送信装置に連絡線設備を介して伝送可能に処理して、前記送信装置に供給する。また、受信装置は、受信側単チャンネル処理手段も有している。受信側単チャンネル処理手段は、特定の単チャンネルの地上デジタルテレビジョン放送信号を前記送信装置に連絡線設備を介して伝送可能に処理して、前記送信装置に供給する。特定の単チャンネルは、複数チャンネルの地上デジタルテレビジョン放送信号のうちの１つであってもよいし、別の１つの地上デジタルテレビジョン放送信号であってもよい。受信側多チャンネル処理手段及び受信側単チャンネル処理手段が行う処理としては、例えば受信装置から送信装置への伝送が光信号で行われる場合には、光信号への変換を含み、受信装置から送信装置への伝送が電気信号で行われる場合には、増幅や周波数変換を含む。受信装置は、受信側電源部も含み、これは、商用電源の供給時には、前記受信側複数チャンネル処理手段と前記受信側単チャンネル処理手段とに動作電力を供給し、前記商用電源の非供給時には前記受信側単チャンネル処理手段に動作電力を供給する。送信装置は、送信側複数チャンネル処理手段と送信側単チャンネル処理手段とを有している。送信側複数チャンネル処理手段は、受信装置から連絡線設備を介して伝送された受信側複数チャンネル処理手段からの信号をテレビジョン受信機で受信可能に処理して送信アンテナに供給する。送信側単チャンネル処理手段は、前記受信装置から連絡線設備を介して伝送された前記受信側単チャンネル処理手段からの信号を前記テレビジョン受信機で受信可能に処理して前記送信アンテナに供給する。送信側電源部が、前記商用電源の供給時に前記送信側複数チャンネル処理手段と前記単チャンネル処理手段とに商用電源に基づいて動作電力を供給し、前記商用電源の非供給時に前記送信側単チャンネル処理手段にバッテリーに基づいて動作電力を供給する。
【０００８】
このように構成された再送信システムでは、停電が生じると、受信側電源部では、商用電源に基づく動作電力を受信側多チャンネル処理手段及び受信側単チャンネル処理手段に供給することはできないが、バッテリーに基づいて受信側多チャンネル処理手段に動作電力が供給される。従って、特定の単チャンネルの地上デジタルテレビジョン放送信号は、停電が生じても送信装置に伝送される。同様に、送信装置においても、停電が生じた場合、送信側単チャンネル処理手段は動作しており、受信装置から伝送された特定の単チャンネル地上デジタルテレビジョン放送信号の再送信は、停電が生じても継続される。このように停電が生じても単チャンネルの地上デジタルテレビジョン放送の再送信が行われているので、例えば災害によって停電が発生した場合でも、この単チャンネルの地上デジタルテレビジョン放送によって災害についての情報を知ることができる。しかも、受信側及び送信側単チャンネル信号処理手段のみをバックアップしているので、受信側及び送信側電源部が備えるバッテリーには小容量のものを使用することができ、コストの低減を図ることができる。なお、受信装置側及び送信装置側のいずれか一方のみで、停電が生じた場合でも、特定の単チャンネルの地上デジタルテレビジョン放送信号の再送信は、確実に行われる。
【０００９】
上記の再送信システムにおいて、受信装置は、前記各地上デジタルテレビジョン放送信号を受信する受信アンテナと、この受信アンテナの受信信号を２分配する分配手段と、前記商用電源の供給時に前記分配手段の一方の分配出力を増幅する増幅状態となり、前記商用電源の非供給時には信号遮断状態となる前置増幅手段と、前記分配手段の他方の分配出力と前記前置増幅手段の出力が入力され、前記受信側複数チャンネル処理手段及び前記受信側単チャンネル処理手段に供給する合成手段とを、有するものとできる。
【００１０】
例えば商用電源の非供給時にも前記増幅手段が増幅状態となるようにバックアップすることも可能であるが、そうするとバッテリーに大容量のものを使用しなければならなくなる。そこで、商用電源の供給時には、分配手段で分配した受信アンテナの受信信号を前置増幅手段で増幅し、合成手段を介して受信側複数チャンネル処理手段及び前記受信側単チャンネル処理手段に供給するが、停電時には、前置増幅手段が信号遮断状態となり、分配手段で分配した受信アンテナの信号を合成手段を介して、受信側複数チャンネル処理手段及び受信側単チャンネル処理手段に供給するようにし、商用電源の非供給時にも受信側複数チャンネル処理手段及び受信側単チャン得る処理手段に受信アンテナの受信信号の供給を維持しつつ、バッテリーの大容量化を防止している。
【００１１】
上記の再送信システムにおいて、前記連絡線設備は、光連絡線設備とすることができる。この場合、前記受信側複数チャンネル処理手段及び前記受信側単チャンネル処理手段は、それぞれ異なる波長の光信号を多重して前記光連絡線設備を介して前記送信装置に伝送する。このように構成した場合、停電時において動作する前記受信側単チャンネル処理手段からは前記受信側複数チャンネル処理手段と異なる波長を連絡線設備に伝送し、送信装置側の送信側単チャンネル処理手段のみを動作させることで省電力化が可能となり、また、それぞれに専用の伝送路を設ける必要が無く、コストの低減を図ることができる。
【発明の効果】
【００１２】
以上のように、本発明によれば、停電が生じても、特定の１チャンネルの地上デジタルテレビジョン放送の再送信は継続して行われているので、例えば災害等によって停電が生じている場合でも、特定の１チャンネルの地上デジタルテレビジョン放送によって行われる災害についての情報を視聴することが可能である。しかも、特定の１チャンネル用の受信側及び送信側単チャンネル信号処理手段のみをそれぞれバッテリーによってバックアップしているので、バッテリーには小容量のものを使用することができ、コストアップを防ぐことができる。
【図面の簡単な説明】
【００１３】
【図１】本発明の１実施形態の再送信システムのブロック図である。
【図２】図１の再送信システムの受信装置と送信装置との配置を示す略図である。
【図３】図１の再送信システムで使用している受信装置の電源部のブロック図である。
【図４】図１の再送信システムで使用している送信装置の電源部のブロック図である。
【発明を実施するための形態】
【００１４】
本発明の１実施形態の再送信システムは、いわゆるギャップフィラーシステムであり、図１に示すように、受信装置２と、送信装置４と、これらを接続する連絡線設備、例えば光連絡設備５を有している。受信装置２には、光連絡線設備５の光送信機１４、１６が一体構成されている。送信装置４には、光連絡線設備５のカプラ４０、フィルタ４３、５０、光受信機４６、５２が一体構成されている。
【００１５】
受信装置２は、例えば図２に示すように例えば難視聴地域の近傍にあって良好にテレビジョン放送信号を受信できる位置、例えば山の頂上に設置されている。ここで受信したテレビジョン放送信号を送信装置４に伝送する。図２に示すように送信装置４は複数設置されており、受信装置２と各送信装置４とは、かなり離れた位置にある。
【００１６】
図１に示すように受信装置２は、ＵＨＦ帯の地上デジタルテレビジョン放送信号の受信用アンテナ６を有しており、この受信用アンテナ６で受信された複数チャンネルの地上デジタルテレビジョン放送信号が、前置増幅手段、例えばプリアンプ８で増幅された後、ヘッドアンプ１０に供給される。
【００１７】
ヘッドアンプ１０は、各チャンネルの地上デジタルテレビジョン放送信号をそれぞれ個別に増幅する複数の受信側単チャンネル処理ユニット１２−１乃至１２−ｎを有している。これら複数の受信側単チャンネル処理ユニット１２−１乃至１２−ｎのうち特定のチャンネルの地上デジタルテレビジョン放送信号を増幅している受信側単チャンネル処理ユニット１２−１での出力信号が、光送信機１４に供給され、特定の波長の光信号に変換される。また、残りの受信側単チャンネル処理ユニット１２−２乃至１２−ｎによってそれぞれ増幅された残りの複数チャンネルの地上デジタルテレビジョン放送信号は、合成されて光送信機１６に供給され、ここで光送信機１４とは異なる波長の光信号に変換される。
【００１８】
ヘッドアンプ１０は、受信側電源部１８を有している。図３に示すように、この受信側電源部１８は、複数波動作用電源回路２０を有している。これは、図１に示す交流電源部２２から供給された３０乃至６０Ｖの交流電圧を直流電圧に変換し、これを受信側単チャンネル処理ユニット１２−１、１２−２乃至１２−ｎ及び光送信機１４、１６に供給して、これらを動作させるものである。交流電源部２２は、商用電源から上記交流電圧を発生しており、商用電源が作動している通常状態では、複数波動作用電源回路２０は、受信側単チャンネル処理ユニット１２−１、１２−２乃至１２−ｎ及び光送信機１４、１６に動作電力を供給しているが、災害等によって商用電源が非供給（停電）のときには、１２−１、１２−２乃至１２−ｎ及び光送信機１４、１６に動作電力を供給できない。
【００１９】
受信側電源部１８には内部バッテリー２４が設けられ、停電検出手段、例えば停電検出回路２６が商用電源の停電を検出したとき、この内部バッテリー２４の電圧が出力制御回路２８によって制御されて、１波動作用電源回路３０に供給され、ここで受信側単チャンネル処理ユニット１２−１及び光送信機１４のみを動作させるのに適切な電圧に調整されて、これらに供給される。従って、停電が生じても、受信側単チャンネル処理ユニット１２−１及び光送信機１４は、自動的に動作を継続する。なお、内部バッテリー２４は、充放電監視回路３２によって充放電状態が監視されており、放電状態では、交流電源部２２からの交流電圧に基づいて充電されている。長時間にわたって１波の地上デジタルテレビジョン放送を継続する必要があるような場合に備えて、受信装置２の外部に外部バッテリー３３も設け、これからも動作電力を受信側単チャンネル処理ユニット１２−１、光送信機１４に供給できるように構成してある。
【００２０】
図１に示すように、光送信機１４、１６からの光信号は光連絡線設備５の光合成器３４において合成され、光連絡線設備５の光分配器３６で複数に分配され、光連絡線設備５の光ファイバー３７を介して各送信装置４に供給されている。
【００２１】
送信装置４では、光分配器３６の１つの分配端子からの光信号をカプラ４０が受けて、これを、送信側単チャンネル処理ユニット４２と、送信側多チャンネル処理ユニット４４とに供給する。
【００２２】
送信側単チャンネル処理ユニット４２では、カプラ４０からの光信号から、フィルタ４３によって光送信機１４からの光信号（単チャンネルの地上デジタルテレビジョン放送信号を変換した光信号）を抽出し、光受信機４６によって元の単チャンネルの地上デジタルテレビジョン放送信号に復元する。復元された単チャンネルの地上デジタルテレビジョン放送信号は増幅器４８によって電力増幅される。同様に送信側多チャンネル処理ユニットでは、カプラ４０からの光信号から、フィルタ５０によって光送信機１６からの光信号（複数チャンネルの地上デジタルテレビジョン放送信号を変換した光信号）を抽出し、光受信機５２によって元の複数チャンネルの地上デジタルテレビジョン放送信号に復元し、これを増幅器５４によって電力増幅する。これら増幅器４８、５４で増幅された各地上デジタルテレビジョン放送信号は、合成器５６によって合成され、送信アンテナ５８から送信される。
【００２３】
これら送信側単チャンネル処理ユニット４２及び送信側多チャンネル処理ユニット４４は、無停電電源装置、例えば送信側電源部６０からの動作電力によって動作している。送信側電源部６０は、図４に示すように、複数波動作用電源回路６２を有している。この複数波動作用電源回路６２は、商用電源から供給された１００Ｖの交流電圧を直流電圧に変換し、これを送信側単チャンネル処理ユニット４２及び送信側多チャンネル処理ユニット４４に供給して、これらを動作させる。この複数波動作用電源回路６２は、災害等によって商用電源が非供給（停電）のときには、送信側単チャンネル処理ユニット４２及び送信側多チャンネル処理ユニット４４に動作電力を供給できない。
【００２４】
送信側電源部６０には内部バッテリー６４が設けられ、停電検出手段、例えば停電検出回路６６が商用電源の停電を検出したとき、この内部バッテリー６４の電圧が出力制御回路６８によって制御されて、１波動作用電源回路７０に供給され、ここで送信側単チャンネル処理ユニット４２のみを動作させるのに適切な電圧に調整されて、送信側単チャンネル処理ユニット４２に供給される。従って、停電が生じても、送信側単チャンネル処理ユニット４２は、動作を自動的に継続する。なお、内部バッテリー６４は、充放電監視回路７２によって充放電状態が監視されている。
【００２５】
このように構成された再送信システムでは、停電が生じていない場合、受信装置２の受信側単チャンネル処理ユニット１２−１、１２−２乃至１２−ｎ及び光送信機１４、１６は、受信側電源部１８の複数波動作用電源回路２０からの動作電力によって動作し、送信装置４の送信側単チャンネル処理ユニット４２、送信側多チャンネル処理ユニット４４は、送信側電源部６０の複数波用電源回路６２からの動作電力によって動作している。従って、受信アンテナ６で受信された各地上デジタルテレビジョン放送信号は、光信号に変換されて、送信装置４に伝送され、送信側単チャンネル処理ユニット４２及び送信側多チャンネル処理ユニット４４で元の各地上デジタルテレビジョン放送信号に変換されて、送信アンテナ５８から再送信される。
【００２６】
受信装置２側で停電が生じた場合、受信側電源部１８の複数波動作用電源回路２０からの動作電力の供給は停止されるが、自動的に１波動作用電源回路３０が動作する。その結果、受信側単チャンネル処理ユニット１２−２乃至１２−ｎと光送信機１６とは動作を停止するが、受信側単チャンネル処理ユニット１２−１と光送信機１４とは、動作を継続する。その結果、特定の１波の地上デジタルテレビジョン放送信号を変換した光信号の送信装置４への伝送は、停電が生じても、継続される。
【００２７】
送信装置４側でも停電が生じている場合、送信側電源部６０の複数波動作用電源回路６２からの動作電力の供給は停止されるが、自動的に１波動作用電源回路７０が動作する。その結果、送信側多チャンネル処理ユニット４４は動作を停止するが、送信側単チャンネル処理ユニット４２は、動作を継続する。その結果、停電が生じても、送信側単チャンネル処理ユニット４２は、伝送されてきた光信号を特定の１波の地上デジタルテレビジョン放送信号に変換し、送信アンテナ５８から再送信する。
【００２８】
従って、停電が生じても特定の１波のテレビジョン放送信号の再送信は継続される。例えば停電が災害等に基づいて発生したような場合でも、特定の１チャンネルの地上デジタルテレビジョン放送信号を受信することによって、災害についての情報を入手できる。特に、地上デジタルテレビジョン放送には１セグ放送が含まれているので、１セグ放送受信機能を有するモバイル機器、例えば携帯電話機を持って再送信のエリア内にいればどこでも、災害についての情報を入手できる。また、特定の１チャンネルの地上デジタルテレビジョン放送信号の再送信を可能にするために、受信装置２では、単チャンネル処理ユニット１２−１及び光送信機１４のみをバックアップし、送信装置４では、単チャンネル処理ユニット４２のみをバックアップしているので、バックアップに使用する内部バッテリー２４、６４には小容量のものを使用することができ、コストの低減を図ることができる。
【００２９】
なお、受信装置２側のみで停電が生じた場合、受信側単チャンネル処理ユニット１２−１及び光送信機１４から、特定の１チャンネルの地上デジタルテレビジョン放送信号の光信号の伝送が継続され、送信装置４側では、送信側単チャンネル処理ユニット４２、多チャンネル処理ユニット４４が動作しているが、送信側単チャンネル処理ユニット４２によって特定の１チャンネルの地上デジタルテレビジョン放送信号が再送信される。送信装置４側のみで停電が生じた場合、受信装置２側からは全ての地上デジタルテレビジョン放送信号の光信号が送信装置４側に伝送されるが、送信装置４側では、送信側単チャンネル処理ユニット４２のみが動作し、特定の１チャンネルの地上デジタルテレビジョン放送信号が再送信される。従って、受信装置２及び送信装置４のいずれか一方の側のみで停電が生じた場合でも、常に特定の１チャンネルの地上デジタルテレビジョン放送信号の再送信は継続される。
【００３０】
プリアンプ８には、受信側電源部１８の複数波動作用電源回路２０から動作電力が供給されているが、停電時に１波動作用電源回路３０から動作電力をプリアンプ８に供給するようにすると、内部バッテリー２４の容量を大きくしなければならなくなる。そこで、停電時には、プリアンプ８への動作電力の供給を停止し、その代わり、受信アンテナ６で受信した地上デジタルテレビジョン放送信号をそのまま受信装置２に供給している。そのため、受信アンテナ６での受信信号を２分配器７６で２分配し、一方の分配出力をプリアンプ８に供給している。他方の分配出力とプリアンプ８の出力とを合成器７８で合成して、受信装置２に供給している。このように受信側電源部１８の複数波動作用電源回路２０から動作電力が供給されている状態において、受信アンテナ６で受信した地上デジタルテレビジョン放送信号は、２分配器７６で２分配された一方の分配出力の信号がプリアンプ８で増幅され、合成器７８の一方に供給されるとともに、分配器７６で２分配された他方の分配出力の信号がそのまま合成器７８の他方に供給され、合成器７８の出力からは増幅された地上デジタルテレビジョン放送信号がヘッドアンプ１０に伝送される。また、受信側電源部１８の複数波動作用電源回路２０から動作電力が供給されてない状態において、受信アンテナ６で受信した地上デジタルテレビジョン放送信号は２分配器７６の他方の分配出力が合成器７８を介してヘッドアンプ１０に伝送される。
【００３１】
２分配器７６、合成器７８に代えて、停電時に停電検出回路２６からの停電検出信号に基づいて自動的に切り換えられる第１及び第２の切換スイッチを設け、通電時には、受信アンテナ６での受信信号を第１の切換スイッチによってプリアンプ８に供給し、プリアンプ８の出力を第２の切換スイッチによって受信装置４に供給し、停電時には、受信アンテナ６での受信信号を切り換えられた第１の切換スイッチによって第２の切換スイッチ側に供給し、第１の切換スイッチを介して供給された受信アンテナ６の受信信号を、プリアンプ８側から切り換えられた第２の切換スイッチによって受信装置４に供給するように構成することもできる。
【００３２】
上記の実施形態では、受信装置や連絡線設備及び送信装置に、例えば光共同受信システムや同軸ケーブル使用の共同受信システムに併設して当該システムを構成することができる。上記の実施形態では受信装置や専用の連絡線設備を使用したが、共同受信システムに併設した場合、連絡線設備はこれら共同受信システムとの共用を図ることができるので、経済的な再送信システムを提供することができる。
【符号の説明】
【００３３】
２  受信装置
４  送信装置
１２−１乃至１２−ｎ  受信側単チャンネル処理ユニット
１４  光送信機
１６  光送信機
１８  受信側電源部
４２  送信側単チャンネル処理ユニット
４４  送信側多チャンネル処理ユニット
６０  送信側電源部
【図１】
2010263334.tif 000003
【図２】
2010263334.tif 000004
【図３】
2010263334.tif 000005
【図４】
2010263334.tif 000006